(57)【要約】【課題】弦楽器の持つ固有の音にできる限り近い音を電気的に出力させることが可能なようにする。【解決手段】共鳴箱１を構成する共鳴板２に弦６を支持するブリッジ７を備えた弦楽器Ｓである。共鳴板２におけるブリッジ７が固定される一部２ｂが、この一部２ｂを巡る割溝２ａによって共鳴板２の他部２ｃと接することなく区分されていると共に、この共鳴板２の一部２ｂが、共鳴箱１の内部においてこの共鳴箱１の側板３に固定された支持体９によって支持されており、この共鳴板２の一部２ｂ又は支持体９に第一ピックアップマイク１０が備えられていると共に、共鳴板２の他部２ｃに第二ピックアップマイク１１が備えられている。【選択図】        図１
2004240374.tif 000002
【特許請求の範囲】
【請求項１】
共鳴箱を構成する共鳴板に弦を支持するブリッジ又は駒を備えた弦楽器であって、
共鳴板におけるブリッジ又は駒が固定される一部が、この一部を巡る割溝によって共鳴板の他部と接することなく区分されていると共に、
この共鳴板の一部が、共鳴箱の内部においてこの共鳴箱の側板に固定された支持体によって支持されており、
この共鳴板の一部又は支持体に第一ピックアップマイクが備えられていると共に、
共鳴板の他部に第二ピックアップマイクが備えられていることを特徴とする弦楽器。
【発明の詳細な説明】
【０００１】
【発明の属する技術分野】
この発明は、共鳴箱を構成する共鳴板に弦を支持するブリッジ又は駒を備えており、この弦をはじいいたり、こすったりすることで音を出す楽器、すなわち、弦楽器の改良に関する。
【０００２】
【従来の技術】
弦楽器にあっては、この弦楽器の音、つまり、弦をはじいたり、こすったりすることによって生じる振動を、電気的に出力させるために、ピックアップマイク（一般にピックアップと称される。）が取り付けられて使用される場合が少なくない。
【０００３】
かかるピックアップマイクは、一般に、弦楽器の共鳴箱を構成する共鳴板に取り付けられる。共鳴板の振動は、ピックアップマイクによって電気信号として出力され、アンプを介して増幅された音となる。
【０００４】
【発明が解決しようとする課題】
しかるに、共鳴箱を構成する共鳴板の振動は、弦の振動によりもたらされるものとはいえ、弦自体の振動ではない。
【０００５】
ここで、弦楽器には様々な種類があるが、その個性、つまり、ある種類の弦楽器の固有の音は、第一に弦の振動によって性格付けられることから、弦の振動をできるかぎりピュアな状態で共鳴箱を構成する共鳴板の振動とは別個に採取できれば、弦楽器の固有の音にできる限り近い音を電気的に出力させることが可能となる。
【０００６】
そこでこの発明は、この種の弦楽器において、弦楽器の持つ固有の音にできる限り近い音を電気的に出力させることが可能なようにすることを主たる目的とする。
【０００７】
【課題を解決するための手段】
前記課題を解決するために、この発明にあっては、弦楽器が以下の（１）〜（５）の構成を備えたものとした。
（１）共鳴箱を構成する共鳴板に弦を支持するブリッジ又は駒を備えた弦楽器であって、
（２）共鳴板におけるブリッジ又は駒が固定される一部が、この一部を巡る割溝によって共鳴板の他部と接することなく区分されていると共に、
（３）この共鳴板の一部が、共鳴箱の内部においてこの共鳴箱の側板に固定された支持体によって支持されており、
（４）この共鳴板の一部又は支持体に第一ピックアップマイクが備えられていると共に、
（５）共鳴板の他部に第二ピックアップマイクが備えられている。
【０００８】
かかる構成によれば、弦の振動は共鳴板の一部のみに伝わり、共鳴板の他部には伝わらない。また、共鳴板の他部の振動は、共鳴板の一部には伝わらない。これにより、第一ピックアップマイクによって、弦の振動をできる限りピュアな状態で拾うことができる。また、第二ピックアップマイクによって、共鳴板の振動をできる限りピュアな状態で拾うことができる。すなわち、この発明にかかる弦楽器によれば、その弦楽器固有の音の特徴をできる限り保った状態で、ピックアップマイクを介して電気的に出力させることができる。つまり、アコースティックギターであればアコスティックギター固有の音を、三味線であれば三味線固有の音を、ピックアップマイクを介して電気的に出力させることができる。
【０００９】
【発明の実施の形態】
以下、図１ないし図６に基づいて、この発明の典型的な実施の形態について説明する。
【００１０】
なお、ここで図１ないし図３は、この発明をギターＳ１に適用した例を示しており、また、図４ないし図６は、この発明を三味線Ｓ２に適用した例を示している。なお、図１においてはギターＳ１のネックの基部以外を、図４においては三味線Ｓ２の棹の基部以外を、それぞれ省略して表している。
【００１１】
この実施の形態にかかる弦楽器Ｓは、共鳴箱１を構成する共鳴板２に弦６（糸）を支持するブリッジ７又は駒８を備えており、この弦６をはじいいたり、こすったりすることで音を出す楽器である。
【００１２】
典型的には、かかる弦楽器Ｓとしては、アコースティックギター、クラシックギター、バイオリン、マンドリン、チェロ、ウクレレ、ビオラ、コントラバス、大正琴、三味線、蛇味線、びわ、などを想定するものである。
【００１３】
アコースティックギターなどの洋楽器にあっては、共鳴箱１においては弦６はブリッジ７を介して支持される。三味線、大正琴などの和楽器にあっては、共鳴箱１においては弦６は駒８を介して支持される。
【００１４】
そして、この実施の形態にかかる弦楽器Ｓにあっては、
（１）共鳴板２におけるブリッジ７又は駒８が固定される一部２ｂが、この一部２ｂを巡る割溝２ａによって共鳴板２の他部２ｃと接することなく区分されていると共に、
（２）この共鳴板２の一部２ｂが、共鳴箱１の内部においてこの共鳴箱１の側板３に固定された支持体９によって支持されており、
（３）この共鳴板２の一部２ｂ又は支持体９に第一ピックアップマイク１０が備えられていると共に、
（４）共鳴板２の他部２ｃに第二ピックアップマイク１１が備えられている。
【００１５】
この結果、この実施の形態にかかる弦楽器Ｓにあっては、弦６の振動は共鳴板２の一部２ｂのみに伝わり、共鳴板２の他部２ｃには伝わらない。また、共鳴板２の他部２ｃの振動は、共鳴板２の一部２ｂには伝わらない。これにより、第一ピックアップマイク１０によって、弦６の振動をできる限りピュアな状態で拾うことができる。また、第二ピックアップマイク１１によって、共鳴板２の振動をできる限りピュアな状態で拾うことができる。すなわち、この実施の形態にかかる弦楽器Ｓによれば、その弦楽器Ｓ固有の音の特徴をできる限り保った状態で、ピックアップマイクを介して電気的に出力させることができる。つまり、アコースティックギターであればアコスティックギターＳ１固有の音を、三味線Ｓ２であれば三味線固有の音を、ピックアップマイクを介して電気的に出力させることができる。
【００１６】
図１ないし図３は、この発明を、ギターＳ１に適用した例を示している。
【００１７】
図中符号４で示される表板と、図中符号５で示される裏板と、側板３とによって、ギターＳ１の共鳴箱１（ボディ）が形成されている。表板４が共鳴板２として機能する。
【００１８】
この例にあっては、表板４におけるブリッジ７が設けられた箇所が、方形状をなすように周回した割溝２ａにより、この表板４のその他の箇所に接触することなく分離されている。すなわち、この割溝２ａの内方が、前記の共鳴板２の一部２ｂとなり、この割溝２ａの外方が、前記共鳴板２の他部２ｃとなっている。
【００１９】
この例にあっては、この共鳴板２の一部２ｂが、共鳴箱１の側板３のうちギターＳ１の上下方向にある側板３に固定されて、この共鳴箱１の内部に配された支持体９によって、支持されている。
【００２０】
この例にあっては、支持体９は、細長い板状をなすように構成されている。また、支持体９は、その板面の一方を共鳴板２の内面に向き合わせ、かつ、この共鳴板２の内面との間に後述する張り出し部９ａ以外の部分において間隔を開けた状態で、配されている。そして、この支持体９は、この支持体９の一端を、共鳴箱１の側板３のうちギターＳ１の上下方向にある両側板３、３の一方に止め付け、かつ、この支持体９の他端を、共鳴箱１の側板３のうちギターＳ１の上下方向にある両側板３、３の他方に止め付けて、共鳴箱１の内部に配されている。この例にあっては、側板３に形成させた凹部に支持体９の端部をはめ入れるようにして、この側板３に支持体９を止め付けさせている。
【００２１】
この例にあっては、支持体９の長さ方向ほぼ中程の位置に、共鳴箱１の表板４側に向けて張り出す張り出し部９ａが形成されており、この張り出し部９ａの張り出し端を共鳴板２の一部２ｂの裏面に止着させて、この支持体９によって共鳴板２の一部２ｂを支持するようにしている。張り出し部９ａは、共鳴板２の他部２ｃとは接しない大きさに形成してある。また、この張り出し部９ａによって、支持体９は共鳴板２の他部２ｃの裏面に接することなく、共鳴箱１の側板３に支持されるようになっている。
【００２２】
この例では、かかる支持体９の張り出し部９ａに、第一ピックアップマイク１０の組み込み空間９ｂを形成させている。ブリッジ７を介して共鳴板２の一部２ｂに伝わる弦６の振動は、この共鳴箱１の一部２ｂを支持する支持体９の張り出し部９ａに組み込まれた第一ピックアップマイク１０により拾われる。支持体９は、共鳴板２の他部２ｃに接しない状態で、共鳴箱１の側板３に支持されていることから、共鳴板２の他部２ｃの振動を第一ピックアップマイク１０ができる限り拾わないようにすることができる。
【００２３】
また、この例にあっては、ギターＳ１の共鳴箱１におけるサウンドホール１２とブリッジ７との間において、共鳴板２の他部２ｃの裏面に第二ピックアップマイク１１を備え付けさせている。共鳴板２の他部２ｃの振動は、この第二ピックアップマイク１１によって拾われることとなる。
【００２４】
図４ないし図６は、この発明を、三味線Ｓ２に適用した例を示している。
【００２５】
図中符号４で示される表板と、図中符号５で示される裏板と、側板３とによって、三味線Ｓ２の共鳴箱１（胴）が形成されている。表板４が共鳴板２として機能する。
【００２６】
この例にあっては、表板４における駒８が設けられた箇所が、方形状をなすように周回した割溝２ａにより、この表板４のその他の箇所に接触することなく分離されている。すなわち、この割溝２ａの内方が、前記の共鳴板２の一部２ｂとなり、この割溝２ａの外方が、前記共鳴板２の他部２ｃとなっている。
【００２７】
この例にあっては、この共鳴板２の一部２ｂが、共鳴箱１の側板３のうち三味線Ｓ２の上下方向にある側板３に固定されて、この共鳴箱１の内部に配された支持体９によって、支持されている。
【００２８】
この例にあっては、支持体９は、細長い板状をなすように構成されている。また、支持体９は、その板面の一方を共鳴板２の内面に向き合わせ、かつ、この共鳴板２の内面との間に後述する張り出し部９ａ以外の部分において間隔を開けた状態で、配されている。そして、この支持体９は、この支持体９の一端を、共鳴箱１の側板３のうち三味線Ｓ２の上下方向にある両側板３、３の一方に止め付け、かつ、この支持体９の他端を、共鳴箱１の側板３のうち三味線Ｓ２の上下方向にある両側板３、３の他方に止め付けて、共鳴箱１の内部に配されている。この例にあっては、側板３に形成させた凹部に支持体９の端部をはめ入れるようにして、この側板３に支持体９を止め付けさせている。
【００２９】
この例にあっては、支持体９の長さ方向ほぼ中程の位置に、共鳴箱１の表板４側に向けて張り出す張り出し部９ａが形成されており、この張り出し部９ａの張り出し端を共鳴板２の一部２ｂの裏面に止着させて、この支持体９によって共鳴板２の一部２ｂを支持するようにしている。張り出し部９ａは、共鳴板２の他部２ｃとは接しない大きさに形成してある。また、この張り出し部９ａによって、支持体９は共鳴板２の他部２ｃの裏面に接することなく、共鳴箱１の側板３に支持されるようになっている。
【００３０】
この例では、かかる支持体９の張り出し部９ａに、第一ピックアップマイク１０の組み込み空間９ｂを形成させている。駒８を介して共鳴板２の一部２ｂに伝わる弦６の振動は、この共鳴箱１の一部２ｂを支持する支持体９の張り出し部９ａに組み込まれた第一ピックアップマイク１０により拾われる。支持体９は、共鳴板２の他部２ｃに接しない状態で、共鳴箱１の側板３に支持されていることから、共鳴板２の他部２ｃの振動を第一ピックアップマイク１０ができる限り拾わないようにすることができる。
【００３１】
また、この例にあっては、三味線Ｓ２の共鳴箱１における上部（棹の取り付け側）と駒８との間において、共鳴板２の他部２ｃの裏面に第二ピックアップマイク１１を備え付けさせている。共鳴板２の他部２ｃの振動は、この第二ピックアップマイク１１によって拾われることとなる。
【００３２】
【発明の効果】
この発明にかかる弦楽器によれば、弦楽器の持つ固有の音にできる限り近い音を電気的に出力させることが可能となる。
【図面の簡単な説明】
【図１】この発明を適用したギターＳ１の要部斜視図
【図２】図１におけるＡ−Ａ線断面図
【図３】図１におけるＢ−Ｂ線位置での共鳴箱１の断面図
【図４】この発明を適用した三味線Ｓ２の要部正面図
【図５】図４におけるＣ−Ｃ線断面図
【図６】図４におけるＤ−Ｄ線位置での共鳴箱の断面図
【符号の説明】
Ｓ  弦楽器
１  共鳴箱
２  共鳴板
２ａ  割溝
２ｂ  一部
２ｃ  他部
３  側板
６  弦
７  ブリッジ
８  駒
９  支持体
１０  第一ピックアップマイク
１１  第二ピックアップマイク
【図１】
2004240374.tif 000003
【図２】
2004240374.tif 000004
【図３】
2004240374.tif 000005
【図４】
2004240374.tif 000006
【図５】
2004240374.tif 000007
【図６】
2004240374.tif 000008